【事件の表示】
　特願２００１−２８８１６０「遊技機」拒絶査定不服審判事件〔平成１５年３月４日出願公開、特開２００３−　６２２１１〕について、次のとおり審決する。
【結　論】
　本件審判の請求は、成り立たない。
【理　由】
１．手続の経緯
　本願は、平成１３年８月２９日を出願日とする特願２００１−２６０４９７号の一部を、平成１３年９月２１日に新たな特許出願としたものであって、平成１７年３月７日付けで拒絶理由が通知され、その指定期間内である同年５月１６日に意見書及び手続補正書が提出され、平成１８年１月１２日付けで拒絶査定がなされ、これに対し同年２月２１日に本件拒絶査定不服審判が請求されるとともに、手続補正がなされたものである。
　
２．平成１８年２月２１日付けの手続補正についての補正却下の決定
［補正却下の決定の結論］
　平成１８年２月２１日付けの手続補正（以下「本件補正」という。）を却下する。
　
［理由］
（１）本件補正後の本願発明
　本件補正により、特許請求の範囲は、
「【請求項１】
　遊技球の発射をコントロールする発射ハンドルと、
　遊技球が入賞する特別図柄始動入賞口と、
　当該特別図柄始動入賞口に遊技球が入賞した場合に、乱数を用いた抽選が行われ、当該抽選結果に基づいた特別図柄が表示される特別図柄表示装置と、
　前記特別図柄始動入賞口に遊技球が入賞し、前記抽選結果が、大当たりの場合には、所定回数開放される大入賞口と、
　遊技球が流下する遊技盤の表面に設けられ、普通図柄を変動表示する普通図柄表示部と、
　前記普通図柄表示部に変動表示される変動時間の長さの異なる複数の図柄変動パターンと、
　遊技球の通過が可能な普通図柄始動ゲートと、
　閉成時には遊技球の入賞が不能であり、前記普通図柄表示部に当たり図柄が表示された場合に開成されて遊技球の入賞が可能となる電動役物と、
　所定条件の成立を判断する条件判断手段と、
　前記遊技球の前記普通図柄始動ゲートの通過又は前記電動役物への入賞により前記普通図柄表示部の図柄が前記複数の変動パターンの何れかを変動表示し、前記条件判断手段が、所定条件が成立したと判断したときに、当たり図柄を前記普通図柄表示部に表示するように制御する普通図柄表示制御手
段
　
前記条件判断手段が、所定条件が成立したと判断すると、前記普通図柄表示部の図柄が変動中であり、
段
　を備え、
　前記普通図柄始動ゲートは、前記遊技盤の表面の中央より左側に設けられているとともに前記電動役物は、前記遊技盤の表面の中央より右側に設けられていることを特徴とする遊技機。
【請求項２】　前記報知手段による報知を行うか否かを決定する報知決定手段を設け、
　当該報知決定手段が報知を行うと決定した場合に、前記報知手段による報知を行うことを特徴とする請求項１に記載の遊技機。
【請求項３】　前記報知決定手段は、抽選手段であることを特徴とする請求項２に記載の遊技機。
【請求項４】　前記報知手段は電飾ランプであり、当該電飾ランプが点灯又は点滅して、前記電動役物が開放されることを報知することを特徴とする請求項１乃至３の何れかに記載の遊技機。
【請求項５】　前記報知手段はスピーカーであり、当該スピーカーから所定の音を発生して、前記電動役物が開放されることを報知することを特徴とする請求項１乃至３の何れかに記載の遊技機。
【請求項６】　前記報知手段は前記普通図柄表示部であり、前記普通図柄表示部を用いて前記電動役物が開放されることを報知することを特徴とする請求項１乃至３の何れかに記載の遊技機。
【請求項７】　前記報知手段は、前記普通図柄表示部とは別の他の図柄表示部であり、当該他の図柄表示部を用いて前記電動役物が開放されることを報知することを特徴とする請求項１乃至３の何れかに記載の遊技機。
【請求項８】　前記報知手段は、発射ハンドルであり、当該発射ハンドルが振動されて前記電動役物が開放されることを報知することを特徴とする請求項１乃至３の何れかに記載の遊技機。
【請求項９】　前記普通図柄表示制御手段は、前記変動時間の長さの異なる複数の図柄変動パターンから、変動表示する図柄変動パターンをランダムに選択して表示することを特徴とする請求項１乃至８の何れかに記載の遊技機。
【請求項１０】
　前記条件判断手段は、前記普通図柄始動ゲートへの遊技球の入賞により抽選を行う普通図柄抽選手段であることを特徴とする請求項１乃至９の何れかに記載の遊技機。」と補正された（下線部は補正により追加又は変更された点）。
　
　本件補正は請求項１のみに変更を加えるものであり、補正前の請求項１は、以下のとおりである。
「　遊技球の発射をコントロールする発射ハンドルと、
　遊技球が入賞する特別図柄始動入賞口と、
　当該特別図柄始動入賞口に遊技球が入賞した場合に、乱数を用いた抽選が行われ、当該抽選結果に基づいた特別図柄が表示される特別図柄表示装置と、
　前記特別図柄始動入賞口に遊技球が入賞し、前記抽選結果が、大当たりの場合には、所定回数開放される大入賞口と、
　遊技球が流下する遊技盤の表面に設けられ、普通図柄を変動表示する普通図柄表示部と、
　前記普通図柄表示部に変動表示される変動時間の長さの異なる複数の図柄変動パターンと、
　遊技球の通過が可能な普通図柄始動ゲートと、
　閉成時には遊技球の入賞が不能であり、前記普通図柄表示部に当たり図柄が表示された場合に開成されて遊技球の入賞が可能となる電動役物と、
　前記発射ハンドルの操作により遊技球の発射部から発射された遊技球が前記電動役物へ到達する時間だけ前のタイミングに、前記電動役物が開成することを報知し、且つ、前記電動役物へ到達する時間だけ前のタイミングに、前記電動役物が閉成することを報知する報知手投と、
　所定条件の成立を判断する条件判断手段と、
　前記遊技球の前記普通図柄始動ゲートの通過又は前記電動役物への入賞により前記普通図柄表示部の図柄が前記複数の変動パターンの何れかを変動表示し、前記条件判断手段が、所定条件が成立したと判断したときに、当たり図柄を前記普通図柄表示部に表示するように制御する普通図柄表示制御手投と
　を備え、
　前記普通図柄始動ゲートは、前記遊技盤の表面の中央より左側に設けられているとともに前記電動役物は、前記遊技盤の表面の中央より右側に設けられていることを特徴とする遊技機。」
　
　すなわち、本件補正は、補正前の請求項１に記載した発明を特定するために必要な事項である「前記発射ハンドルの操作により遊技球の発射部から発射された遊技球が前記電動役物へ到達する時間だけ前のタイミングに、前記電動役物が開成することを報知し、且つ、前記電動役物へ到達する時間だけ前のタイミングに、前記電動役物が閉成することを報知する報知手投」と「前記遊技球の前記普通図柄始動ゲートの通過又は前記電動役物への入賞により前記普通図柄表示部の図柄が前記複数の変動パターンの何れかを変動表示し、前記条件判断手段が、所定条件が成立したと判断したときに、当たり図柄を前記普通図柄表示部に表示するように制御する普通図柄表示制御手投」の位置を変え、「報知手投」について、「前記条件判断手段が、所定条件が成立したと判断すると、前記普通図柄表示部の図柄が変動中であり、」という限定を付加するとともに、「普通図柄表示制御手投」と「報知手投」の誤記を改めたものである。
　したがって、本件補正は特許請求の範囲を限定的に減縮するとともに、誤記の訂正を行うものであって、特許法第１７条の２第４項第２号の特許請求の範囲の減縮及び同項第３号の誤記の訂正を目的とするものに該当する。
　そこで、本件補正後の前記請求項１に記載された発明（以下「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用文献
　原査定の拒絶の理由に引用された特開平１０−０３３７６８号公報（以下「引用文献１」という。）には、図面とともに、
【００１５】また、本発明によれば、遊技者は所定の変動入賞装置の作動に関する情報を知り、所定の変動入賞装置の作動タイミングを見計らって、遊技球を打つことが出来るので、無駄球の打ち込みが少なくて済み、持ち球が少ない場合でも、確実に所定の遊技価値の獲得或いは遊技者にとって価値の高い所定の遊技価値の獲得が可能となる。
【００１９】変動入賞装置は、いわゆるチューリップ型の入賞装置に限らず、アタッカー形式の入賞装置など、どのような形式のものであってもよい。
【００２７】この遊技盤１は電動役物を複数備えたいわゆる一般電役のパチンコ遊技機用のもので、遊技盤１のガイドレール２で囲まれた遊技領域３には、第１（メイン）の可変表示器４、第１の変動入賞装置５、第２の変動入賞装置６、第３の変動入賞装置７、第１の可変表示器４の始動口を兼ねた第４の変動入賞装置８、第２の可変表示器９、第３の可変表示器１０、第４の可変表示器１１、第４の可変表示器１１の始動ゲート１２、第１の可変表示器４の始動口を兼ねたワープ入口１３、一般入賞口１４，１４，…、ワープ出口１５、風車と呼ばれる遊技球の進行方向変換部材１６，１６，…、装飾ランプＬＥＤ(Light Emitting Diode)１７，１７，…、などが配設されている。
【００３２】第４の変動入賞装置８は左右一対の開閉部材８ａ，８ａを具備し、これら開閉部材８ａ，８ａは、常時は遊技球が１個流入可能な程度の間隔で閉じた状態を保持している。が、第４の可変表示器１１の可変表示遊技の結果が所定の停止態様（例えば、「７」）になった場合には、第４の変動入賞装置８の開閉部材８ａ，８ａが逆「ハ」の字状に開いて、該第４の変動入賞装置８に遊技球が流入し易い状態に変化されるようになっている。また、この第４の変動入賞装置８は第１（メイン）の可変表示器４の可変表示遊技の始動口も兼ね、その内部に第１の可変表示器４の可変表示遊技を始動させる第１の始動スイッチ８ｂを備えている。・・・
【００４３】ＣＰＵ２１ａは、制御部、演算部、各種カウンタ、各種レジスタ、各種フラグなどを備え、演算制御を行う他、第１（メイン）の可変表示器４の可変表示遊技における大当たり図柄の停止確率を定めるための乱数、第２及び第３の可変表示器９、１０の可変表示遊技における当たり図柄の停止確率を定めるための乱数、及び第４の可変表示器１１の当たり図柄の停止確率を定めるための乱数なども生成している。
【００４６】ＲＯＭ２１ｃには、遊技上の制御プログラムや制御データが書き込まれている他、上記メインの可変表示器４の大当たり図柄や各種当たり図柄の停止を判定するための大当たりや当たりの判定値、および、各種リーチ可変表示遊技を様々の発生率で発生させるためのリーチ発生乱数判定値などが書き込まれている。
【００５８】この状態で遊技領域３中に打ち込まれた遊技球が、第１の可変表示器４の始動口を兼ねたワープ入口１３又は第４の変動入賞装置８に入賞すると、その入賞がメインの可変表示器４の始動スイッチ８ｂ、１３ａに検出されてＲＡＭ２１ｂに記憶（第１の可変表示器４の始動記憶）され、その記憶に基づいてインターフェイス２８を介して表示制御回路４０に表示制御信号が送られて、第１の可変表示器４中の可変表示部４ａにおいてメインの可変表示遊技（メイン遊技）が行われる。
【００６２】このメインの可変表示遊技（メイン遊技）の結果として、例えば、図１２に示すように、その停止図柄が斜め右下りライン或いは斜め右上がりライン上において大当たりを発生させる所定の停止表示態様（例えば、「ド，ド，ド」、「レ，レ，レ」、「ミ，ミ，ミ」等のぞろめなど、大当たりを発生させる停止表示態様）となった場合、大当たりが発生される。
【００６３】この大当たりが発生すると、特別遊技状態を発生させる所定の変動入賞としての第１の変動入賞装置５が開放（作動）されるが、その前に、所定の停止結果態様の発生から第１の変動入賞装置５が開放開始するまでの間、所定の待機時間で予め時間設定された待機状態が発生される。この待機状態中は、表示制御回路（表示制御手段）４０のＲＯＭ４２中の表示制御プログラムとしての作動タイミング表示制御手段により、可変表示部４ａにて、第１の変動入賞装置の開放開始タイミングがカウントダウン表示される。この表示制御についての詳細な説明は後述する。
【００６４】この待機状態期間経過後、第１の変動入賞装置５が、所定時間（例えば、５．８秒間）若しくは第２の始動スイッチ５ｂが所定個数の入賞をカウント（例えば、５カウント）するまで開放され、この状態で遊技領域３中に打ち込まれた遊技球が第１の変動入賞装置５に入賞（最大５個まで入賞可）することによって特別遊技状態が発生される。
【００９２】ステップＳ１５では、ＲＡＭ２１ｂ中における第１（メイン）の可変表示器４の大当たり発生用乱数値を更新するメイン停止図柄乱数更新処理をしてステップＳ１６に移行する。
【００９４】ステップＳ１７では、第１の可変表示器４の停止図柄の作成（更新）を行うメイン停止図柄作成処理をしてステップＳ１８に移行する。
【０１１６】ここで時短遊技とは、第１の可変表示器４の始動口を兼ねた第４の変動入賞装置８による可変表示遊技（サブ可変遊技）の１回あたりの所要時間を、例えば、長い時間（例えば、３０秒間）から短い時間（例えば、５．８秒間）に短縮し、更に、そのサブ可変遊技が当たりとなった場合は、第４の変動入賞装置８の開放時間が短い時間（例えば、０．５秒間）から長い時間（例えば、５．８秒間）若しくは例えば２カウント入賞に変更されるような遊技のことである。これにより、サブ可変遊技がより多く行われるため、その分、当たり発生も多くなる。・・・
【０１３６】この状態でワープ入口１３又は第４の変動入賞装置８に入賞すると、ＭＯＤＥ「０２」のモードデータがワンチップマイクロコンピュータ２１から表示制御回路４０のＣＰＵ４１に送信され、この送信データに基づくＣＰＵ４１からの変動表示コマンドにより可変表示部４ａの図柄が高速変動を開始する。このとき、高速変動開始と同時に変動状態を報知する変動音がスピーカ３２等より音声出力される。
【０１３８】その後、第３図柄停止動作（ＭＯＤＥ「０６」）と停止図柄確定動作（ＭＯＤＥ「０７」）のモードデータが表示制御回路４０のＣＰＵ４１に送信される。この時、大当たりを発生させる停止表示態様（所定の停止表示態様）である場合には、ファンファーレ動作（ＭＯＤＥ「１０」）のモードデータがワンチップマイクロコンピュータ２１から表示制御回路４０のＣＰＵ４１に送信される。この送信データに基づきＣＰＵ４１の指示によりファンファーレ表示に関する図柄データがＶＤＰ４６を介して可変表示部４ａに送られ、該可変表示部４ａにて大当たり発生を告げるファンファーレ表示がスピーカ３２からのファンファーレ音の発生と同時に行われた後、第１の変動入賞装置５の開放タイミングを表示するカウントダウン表示が行われる。・・・
【０１４１】このとき、遊技者は、可変表示部４ａの表示画面にカウントダウン表示された第１の変動入賞装置５の開放開始タイミングを見計らって、遊技球を打つことが出来るので、確実に、第１の変動入賞装置５へ所定個数（例えば、５個）入賞させることが出来る。
【０１５０】待機状態の期間は、上記実施例（５秒間）に限るものではなく、任意に設定してよい。
　との記載が認められ、図１から、始動ゲート１２と第４の変動入賞装置８は遊技盤の中央に設けられていることが分かる。
　
　これらの記載及び図１によれば、引用文献１には、
「遊技球を打つことができ、
　遊技球が入賞する第１の可変表示器４の可変表示遊技を始動させる第１の始動スイッチ８ｂを備えた第４の変動入賞装置８と、
　当該第４の変動入賞装置８に遊技球が入賞すると、大当たり発生用乱数値を更新し、停止図柄の作成を行うメイン停止図柄作成処理がされる第１の可変表示器４と、
　前記第４の変動入賞装置８に遊技球が入賞し、大当たりが発生すると、所定時間若しくは所定個数の入賞をカウントするまで開放される第１の変動入賞装置５と、
　遊技盤１に配設され、可変表示遊技を行う第４の可変表示器１１と、
　第４の可変表示器１１の始動ゲート１２と、
　常時は遊技球が１個流入可能な程度の間隔で閉じた状態を保持し、前記第４の可変表示器１１の可変表示遊技の結果が所定の停止態様になった場合には、逆「ハ」の字状に開いて遊技球が流入し易い状態に変化される開閉部材８ａ，８ａを有する第４の変動入賞装置８と、
　制御部、演算部、各種カウンタ、各種レジスタ、各種フラグなどを備え、演算制御を行う他、前記第１の可変表示器４の可変表示遊技における大当たり図柄の停止確率を定めるための乱数及び前記第４の可変表示器１１の当たり図柄の停止確率を定めるための乱数などを生成しているＣＰＵ２１ａと、前記第１の可変表示器４の大当たり図柄や各種当たり図柄の停止を判定するための大当たりや当たりの判定値などが書き込まれているＲＯＭ２１ｃと、
　遊技球が、前記第４の変動入賞装置８に入賞すると、前記第１の可変表示器４において図柄が高速変動を開始し、大当たりを発生させる停止表示態様である場合には、ファンファーレ表示に関する図柄データを可変表示部４ａに送るＣＰＵ４１と、
　大当たりが発生すると、前記第１の変動入賞装置５の開放開始タイミングを表示する可変表示部４ａと、
　を備え、
　前記始動ゲート１２と前記第４の変動入賞装置８は遊技盤の中央に設けられている遊技機。」の発明（以下「引用発明」という。）が開示されていると認めることができる。
　
　また、原査定の拒絶の理由に引用された特開平２００１−１７０２６５号公報（以下「引用文献２」という。）には、図面とともに、
【００１０】しかして、上記のように構成される特別可変入賞球装置９は、以下のように作動する。即ち、打玉が始動入賞口５に入賞して始動玉検出器８をＯＮさせると、特別可変表示装置３０が変動を開始し、一定時間が経過すると、例えば左・右・中の順で特別図柄が確定され、その確定された図柄の組み合せが所定の大当り組合せ（同一図柄のゾロ目）となったときに特定遊技状態となる。そして、この特定遊技状態においては、特別可変入賞球装置９の開閉板１１が所定期間（例えば、３０秒）あるいは所定個数（例えば、１０個）の入賞玉が発生するまで開放（開放サイクル）するように設定され、その開放している間遊技盤１の表面を落下する打玉を受け止めるようになっている。そして、受け止められた打玉がＶ有効時間中に入賞玉検出器１３をＯＮすると、再度上記した開放サイクルを繰り返し、Ｖ有効時間中に入賞玉検出器１３がＯＮする毎に継続権が成立して開放サイクルを最高１６回繰り返すことができるようになっている。
【００１１】なお、本発明の特定遊技状態とは、上記に限らず、打玉の入賞を容易にする第一の状態と、打玉が入賞できない又は入賞し難い第二の状態と、に変化可能な可変入賞球装置に対して所定時間連続的又は間欠的に第一の状態にする制御を実行するものなどであればよい。・・・
【００１４】・・・また、玉発射報知ＬＥＤ３５ａは、その赤色点灯によって打玉の発射タイミングを遊技者に報知する一方、玉発射停止報知ＬＥＤ３５ｂは、その緑色点灯によって打玉の発射停止タイミングを遊技者に報知するようになっている。より具体的には、発射した打玉がＶ有効時間中に特別可変入賞球装置９（入賞領域１４）内に入賞してＶ入賞する（繰返し継続制御が行われる）可能性のある場合は、玉発射報知ＬＥＤ３５ａが赤色点灯すると共に玉発射停止報知ＬＥＤ３５ｂが消灯することで、遊技者に打玉の発射を促すようになっている。一方、発射した打玉がＶ有効時間中に特別可変入賞球装置９（入賞領域１４）内に入賞してＶ入賞する（繰返し継続制御が行われる）可能性のない場合は、玉発射報知ＬＥＤ３５ａが消灯すると共に玉発射停止報知ＬＥＤ３５ｂが緑色点灯することで、遊技者に打玉の発射停止を促すようになっている。
【００１８】・・・具体的に、玉発射報知ＬＥＤ３５ａ及びスピーカ２６は、特別可変入賞球装置３０の開放開始から４秒前の時点で１回目のＶ有効時間に対する報知動作を開始し、その報知動作をＶ有効時間に対応して５秒間行う。その後は、１０秒間のインターバル時間を置いた後に、２回目のＶ有効時間に対する報知動作を５秒間行う。一方、玉発射停止報知ＬＥＤ３５ｂは、玉発射報知ＬＥＤ３５ａ及びスピーカ２６の１回目の報知動作の終了後における１０秒間のインターバル時間の間に報知動作を行う。なお、玉発射報知ＬＥＤ３５ａ及びスピーカ２６が報知動作を開始する開放４秒前の時間は、打玉を発射してからその打玉が特別可変入賞球装置３０（入賞玉検出器１３）に到達するまでの推定時間（到達するのに十分な時間）に設定されている。これにより、玉発射報知ＬＥＤ３５ａ及びスピーカ２６による報知時間中に打玉を発射すれば、おおよそＶ有効時間中に特別可変入賞球装置９内に入賞（入賞玉検出器１３で玉検出）してＶ入賞する（繰返し継続制御が行われる）ようになっている。・・・
【００２４】なお、上記した実施形態では、打玉発射タイミング示唆報知手段として玉発射報知ＬＥＤ３５ａを設ける一方、玉発射停止示唆報知手段として玉発射停止報知ＬＥＤ３５ｂを設けることで、打玉の発射及び発射停止の表示による報知手段を別途設けているが、これに限らず、１つの表示器で打玉の発射及び発射停止を報知するようにしてもよい。また、表示による報知手段として特別に表示器を設けるのではなく、既存の表示器に報知機能を持たせるようにしてもよい。・・・
【００２７】・・・また、発射タイミングの報知開始時点としては、発射からアタッカーに到達するのにかかる時間（本実施形態では、４秒程度として説明している）より早めに打ち出し始めるように報知してもいいし、逆に遅めに報知してもよい。・・・
と記載されている。
　
（３）対比
　そこで、引用発明と本願補正発明とを比較すると、
　引用発明の「第１の可変表示器４の可変表示遊技を始動させる第１の始動スイッチ８ｂを備えた第４の変動入賞装置８」は、本願補正発明の「特別図柄始動入賞口」に相当し、以下同様に、
「遊技球が入賞すると」は「遊技球が入賞した場合に」に、
「大当たり発生用乱数値を更新し」は「乱数を用いた抽選が行われ」に、
「停止図柄の作成を行うメイン停止図柄作成処理がされる」は「当該抽選結果に基づいた特別図柄が表示される」に、
「第１の可変表示器４」は「特別図柄表示装置」に、
「大当たりが発生すると」は「前記抽選結果が、大当たりの場合には」に、
「第１の変動入賞装置５」は「大入賞口」に、
「遊技盤１に配設され」は「遊技球が流下する遊技盤の表面に設けられ」に、
「可変表示遊技を行う」は「普通図柄を変動表示する」に、
「第４の可変表示器１１」は「普通図柄表示部」に、
「前記第４の変動入賞装置８による可変表示遊技の１回あたりの所要時間」は「前記普通図柄表示部に変動表示される変動時間」に、
「第４の可変表示器１１の始動ゲート１２」は「普通図柄始動ゲート」に、
「第４の可変表示器１１の可変表示遊技の結果が所定の停止態様になった場合には」は「普通図柄表示部に当たり図柄が表示された場合に」に、
「逆「ハ」の字状に開いて」は「開成されて」に、
「開閉部材８ａ，８ａを有する第４の変動入賞装置８」は「電動役物」に、それぞれ相当し、さらに、引用文献１全体の記載等からみて、以下のことが言える。
　なお、山括弧内の記載は、相当する本願補正発明の構成を示す。
　
ａ．引用発明は遊技球を打つことができる遊技機の発明であるから、遊技球の発射をコントロールする発射ハンドルを有していることは明らかである。
　
ｂ．引用発明の「所定時間若しくは所定個数の入賞をカウントするまで開放される」ことと、本願補正発明の「所定回数開放される」ことは、「所定条件が満たされるまで開放される」点で共通している。
　
ｃ．前記第４の変動入賞装置８による可変表示遊技の１回あたりの所要時間＜前記普通図柄表示部に変動表示される変動時間＞に、長い時間と短い時間があるということは、長さの異なる複数の可変表示が行われることを意味するから、引用発明は本願補正発明の「前記普通図柄表示部に変動表示される変動時間の長さの異なる複数の図柄変動パターン」を備えているといえる。
　
ｄ．引用発明の「始動ゲート１２」は、遊技機の分野における「ゲート」という用語の通常の用いられ方からみて、遊技球の通過が可能なものと認められる。
　
ｅ．引用発明の「ＣＰＵ２１ａ」は大当たり図柄の停止確率を定めるための乱数及び前記第４の可変表示器１１の当たり図柄の停止確率を定めるための乱数を生成するとともに、「ＲＯＭ２１ｃ」には大当たりや当たりの判定値が書き込まれていることからみて、これらは本願補正発明の「所定条件の成立を判断する条件判断手段」に相当する機能を有するものと認められる。
　
　以上を総合すると、両者は、
「　遊技球の発射をコントロールする発射ハンドルと、
　遊技球が入賞する特別図柄始動入賞口と、
　当該特別図柄始動入賞口に遊技球が入賞した場合に、乱数を用いた抽選が行われ、当該抽選結果に基づいた特別図柄が表示される特別図柄表示装置と、
　前記特別図柄始動入賞口に遊技球が入賞し、前記抽選結果が、大当たりの場合には、所定条件が満たされるまで開放される大入賞口と、
　遊技球が流下する遊技盤の表面に設けられ、普通図柄を変動表示する普通図柄表示部と、
　前記普通図柄表示部に変動表示される変動時間の長さの異なる複数の図柄変動パターンと、
　遊技球の通過が可能な普通図柄始動ゲートと、
　前記普通図柄表示部に当たり図柄が表示された場合に開成される電動役物と、
　所定条件の成立を判断する条件判断手段と、
　を備える遊技機。」
の点で一致し、以下の点で相違している。
　
［相違点１］
　「大当たり」の場合に、本願補正発明の「大入賞口」は「所定回数開放される」のに対し、引用発明の「第１の変動入賞装置５」＜大入賞口＞は「所定時間若しくは所定個数の入賞をカウントするまで開放される」点。
　
［相違点２］
　本願補正発明の「電動役物」は「閉成時には遊技球の入賞が不能であり」、「開成されて遊技球の入賞が可能となる」ものであるのに対し、引用発明の「開閉部材８ａ，８ａを有する第４の変動入賞装置８」＜電動役物＞は「開閉部材８ａ，８ａ」が閉じた状態でも「遊技球が１個流入可能な程度の間隔」があり、「逆「ハ」の字状に開いて遊技球が流入し易い状態」となるものである点。
　
［相違点３］
　本願補正発明は「電動役物への入賞により前記普通図柄表示部の図柄が」変動表示されるのに対し、引用発明では「第４の変動入賞装置８＜電動役物＞に入賞すると、前記第１の可変表示器４＜特別図柄表示装置＞において図柄が高速変動を開始」する点。
　
［相違点４］
　本願補正発明は「条件判断手段が、所定条件が成立したと判断したときに、当たり図柄を前記普通図柄表示部に表示するように制御する」とともに、「前記条件判断手段が、所定条件が成立したと判断すると、前記普通図柄表示部の図柄が変動中であり、前記発射ハンドルの操作により遊技球の発射部から発射された遊技球が前記電動役物へ到達する時間だけ前のタイミングに、前記電動役物が開成することを報知し、且つ、前記電動役物へ到達する時間だけ前のタイミングに、前記電動役物が閉成することを報知する」のに対し、引用発明では「最終停止図柄の停止とその結果が大当たりか否かの判定とを行い、大当たりが発生すると、可変表示部４ａにて、第１の変動入賞装置の開放開始タイミングを表示する」点。
　
［相違点５］
　本願補正発明は「前記普通図柄始動ゲートは、前記遊技盤の表面の中央より左側に設けられているとともに前記電動役物は、前記遊技盤の表面の中央より右側に設けられている」のに対し、引用発明は「前記始動ゲート１２＜前記普通図柄始動ゲート＞と前記第４の変動入賞装置８＜前記電動役物＞は遊技盤の中央に設けられている」点。
　
（４）判断
［相違点１について］
　摘記した引用文献２の段落【００１０】には、特定遊技状態＜大当たりの場合＞においては、特別可変入賞球装置９＜大入賞口＞の開閉板１１が所定期間あるいは所定個数の入賞玉が発生するまで開放し、入賞玉検出器１３がＯＮする毎に継続権が成立して開放サイクルを最高１６回繰り返す点が記載され、さらに段落【００１１】にはそのようなものに限らず、打玉の入賞を容易にする第一の状態と打玉が入賞できない又は入賞し難い第二の状態とに変化可能な可変入賞球装置に対して所定時間連続的又は間欠的に第一の状態にする制御を実行するものなどであればよい点が記載されており、所定時間間欠的に第一の状態にすることは、所定回数第一の状態にすることにほかならないから、引用発明の第１の変動入賞装置５＜大入賞口＞に上記引用文献２記載の技術を適用して、大当たりが発生すると所定回数開放されるように構成することは、遊技機の分野における通常の知識を有する者（以下「当業者」という。）にとって格別困難なことではない。
　
［相違点２について］
　摘記した引用文献２の段落【００１１】には、「打玉の入賞を容易にする第一の状態と、打玉が入賞できない又は入賞し難い第二の状態と、に変化可能な可変入賞球装置」と記載され、原査定の拒絶の理由に周知例１として示された特開２００１−２０４９１１号公報の段落【０１６１】〜【０１６２】には、チューリップ型役物３４０の開閉可能な一対の可動片３４１が閉状態にあるときは、球が全く入賞できないように構成してもよい旨記載されているように、変動入賞装置において閉じた状態で入賞不能とすることは、従来周知の技術であるから、引用発明の「開閉部材８ａ，８ａを有する第４の変動入賞装置８」＜電動役物＞において「開閉部材８ａ，８ａ」が閉じた状態で遊技球の入賞が不能となるようにして、本願補正発明のように構成することは、当業者にとって格別困難なことではない。
　
［相違点３について］
　普通図柄表示部に当たり図柄が表示された場合に開成される電動役物への入賞により前記普通図柄表示部の図柄が変動表示されるようにしても良いという考え方が、特開平０９−０４７５４８号公報（特に、段落【００１６】及び【請求項３】）や特開平１１−３０９２４９号公報（特に、段落【００５７】、【００４８】及び【００４９】）に記載されているように、従来遊技機の分野において当たり前になっていたことを考慮すれば、「第４の変動入賞装置８に入賞すると、前記第１の可変表示器４＜特別図柄表示装置＞において図柄が高速変動を開始」する引用発明のものを、第４の変動入賞装置８＜電動役物＞への入賞により前記第４の可変表示器１１＜普通図柄表示部＞の図柄が変動表示されるようにして、本願補正発明のような構成とすることは、当業者にとって格別困難なことではない。
　
［相違点４について］
　摘記した引用文献１の段落【００４３】及び段落【００４６】に、それぞれ「第４の可変表示器１１の当たり図柄の停止確率を定めるための乱数なども生成している。」、「大当たり図柄や各種当たり図柄の停止を判定するための大当たりや当たりの判定値」と記載され、遊技機における可変表示遊技において、始動時に抽出した乱数と当たり判定値とを比較して一致した場合、すなわち所定条件が成立したと判断したときに当たり図柄を表示部に表示することが、従来ごく普通に行われていたことを考慮すると、引用発明において「第４の可変表示器１１の可変表示遊技の結果が所定の停止態様」となるようにする際に、本願補正発明のように「条件判断手段が、所定条件が成立したと判断したときに、当たり図柄を前記普通図柄表示部に表示するように制御する」構成を採用することは、当業者が通常行い得る事項である。
　また、上記［相違点３について］の項で述べたように、引用発明のものを、第４の変動入賞装置８＜電動役物＞への入賞により前記第４の可変表示器１１＜普通図柄表示部＞の図柄が変動表示されるように構成すれば、その変動表示の結果当たりとなった場合には、第４の変動入賞装置８＜電動役物＞が開閉部材８ａ，８ａを逆「ハ」の字状に開いて遊技球が流入し易い状態に変化＜開成＞されることとなるのであるから、そうなった場合に該第４の変動入賞装置８＜電動役物＞が開成されるタイミングを表示するようにすることも、当業者であれば併せて設計変更し得る事項と判断される。
　さらに、引用文献２の記載及び技術背景から次の点が分かる。
ａ．摘記した引用文献２の段落【００１８】には、「玉発射報知ＬＥＤ３５ａ・・・は、特別可変入賞球装置３０の開放開始から４秒前の時点で１回目のＶ有効時間に対する報知動作を開始し、その報知動作をＶ有効時間に対応して５秒間行う。」及び「報知動作を開始する開放４秒前の時間は、打玉を発射してからその打玉が特別可変入賞球装置３０（入賞玉検出器１３）に到達するまでの推定時間」と記載されている点。
　
ｂ．摘記した引用文献２の段落【００２４】及び【００２７】には、それぞれ「１つの表示器で打玉の発射及び発射停止を報知するようにしてもよい。」及び「発射タイミングの報知開始時点としては、発射からアタッカーに到達するのにかかる時間・・・より早めに打ち出し始めるように報知してもいい」と記載されている点。
　
ｃ．遊技機において、図柄変動中に報知される当たりとなるか否かの予告を、特別図柄だけでなく普通図柄に対しても行うことが、例えば、特開２００１−２３１９８９号公報（特に、段落【００７５】）や特開２００１−０５８０４１号公報（特に、段落【００５４】）に示されているように、従来当業者が適宜行い得る事項である点。
　
　以上ａ〜ｃの３点を考慮すると、引用発明の「第１の変動入賞装置５が開成されるタイミングを表示する可変表示部４ａ」を「第４の変動入賞装置８＜電動役物＞が開成されるタイミングを表示する可変表示部４ａ」に変更するとともに、「第４の可変表示器１１＜普通図柄表示部＞の図柄変動中に、前記第４の変動入賞装置８＜電動役物＞の開放開始から４秒前（遊技球を打ってからその遊技球が第４の変動入賞装置８＜電動役物＞に到達するまでの推定時間）の時点で前記第４の変動入賞装置８＜電動役物＞の開放に対する報知動作を開始し、その報知動作を開放時間に対応した時間行うことにより、遊技球の発射及び発射停止を報知するようにして、本願補正発明のような構成とすることは、当業者が容易に想到し得る事項ということができる。
　
［相違点５について］
　普通図柄始動ゲート及び停止表示された普通図柄が当たり図柄の場合に開成される電動役物は、以下に示すように従来様々な場所に配置されている。
・特開平０６−２８５２３０号公報では、ゲートが左側、電動役物が中央。
（特に、図３及び段落【００２６】〜【００３０】を参照。）
・特開平０８−２８９９５８号公報では、ゲートが中央、電動役物が左側。
（特に、図１及び段落【００２９】〜【００３０】を参照。）
・特開平１０−２９０８６３号公報では、ゲート、電動役物ともに左側。
（特に、図１及び段落【００４６】を参照。）
　このような技術背景からみて、引用発明の始動ゲート１２＜普通図柄始動ゲート＞を遊技盤の表面の中央より左側に、第４の変動入賞装置８＜電動役物＞を遊技盤の表面の中央より右側に設けて、上記相違点５に係る構成とすることは、当業者が適宜実施し得る事項といわざるを得ない。
　
　さらに、本願補正発明の作用効果も、引用発明、引用文献２記載の技術、従来周知の技術及び遊技機における技術背景から、当業者が予測できる範囲内のものである。
　したがって、本願補正発明は、引用発明、引用文献２記載の技術、従来周知の技術及び遊技機における技術背景に基づいて、当業者が容易に発明をすることができたものであるから、特許法第２９条第２項の規定により特許出願の際独立して特許を受けることができないものである。
　
（５）むすび
　以上のとおりであるので、本件補正は、平成１８年改正前特許法第１７条の２第５項において準用する同法第１２６条第５項の規定に違反するので、特許法第１５９条第１項の規定において読み替えて準用する同法第５３条第１項の規定により却下されるべきものである。
　
３．本願発明について
（１）補正前の本願発明
　平成１８年２月２１日付けの手続補正は上記のとおり却下されたので、本願の請求項１に係る発明（以下「本願発明」という。）は、平成１７年５月１６日付け手続補正書の特許請求の範囲の請求項１に記載された事項により特定される、以下のとおりのものである。
「　遊技球の発射をコントロールする発射ハンドルと、
　遊技球が入賞する特別図柄始動入賞口と、
　当該特別図柄始動入賞口に遊技球が入賞した場合に、乱数を用いた抽選が行われ、当該抽選結果に基づいた特別図柄が表示される特別図柄表示装置と、
　前記特別図柄始動入賞口に遊技球が入賞し、前記抽選結果が、大当たりの場合には、所定回数開放される大入賞口と、
　遊技球が流下する遊技盤の表面に設けられ、普通図柄を変動表示する普通図柄表示部と、
　前記普通図柄表示部に変動表示される変動時間の長さの異なる複数の図柄変動パターンと、
　遊技球の通過が可能な普通図柄始動ゲートと、
　閉成時には遊技球の入賞が不能であり、前記普通図柄表示部に当たり図柄が表示された場合に開成されて遊技球の入賞が可能となる電動役物と、
　前記発射ハンドルの操作により遊技球の発射部から発射された遊技球が前記電動役物へ到達する時間だけ前のタイミングに、前記電動役物が開成することを報知し、且つ、前記電動役物へ到達する時間だけ前のタイミングに、前記電動役物が閉成することを報知する報知手投と、
　所定条件の成立を判断する条件判断手段と、
　前記遊技球の前記普通図柄始動ゲートの通過又は前記電動役物への入賞により前記普通図柄表示部の図柄が前記複数の変動パターンの何れかを変動表示し、前記条件判断手段が、所定条件が成立したと判断したときに、当たり図柄を前記普通図柄表示部に表示するように制御する普通図柄表示制御手投と
　を備え、
　前記普通図柄始動ゲートは、前記遊技盤の表面の中央より左側に設けられているとともに前記電動役物は、前記遊技盤の表面の中央より右側に設けられていることを特徴とする遊技機。」
　
（２）引用文献
　原査定の拒絶の理由に引用された引用文献及びその記載事項は、前記「２．（２）」に記載したとおりである。
　
（３）対比・判断
　本願発明は、前記２．（１）で検討した本願補正発明について、
該発明を特定するために必要な事項である「前記遊技球の前記普通図柄始動ゲートの通過又は前記電動役物への入賞により前記普通図柄表示部の図柄が前記複数の変動パターンの何れかを変動表示し、前記条件判断手段が、所定条件が成立したと判断したときに、当たり図柄を前記普通図柄表示部に表示するように制御する普通図柄表示制御手段」と「前記条件判断手段が、所定条件が成立したと判断すると、前記普通図柄表示部の図柄が変動中であり、前記発射ハンドルの操作により遊技球の発射部から発射された遊技球が前記電動役物へ到達する時間だけ前のタイミングに、前記電動役物が開成することを報知し、且つ、前記電動役物へ到達する時間だけ前のタイミングに、前記電動役物が閉成することを報知する報知手段」の位置を変え、
「報知手段」について、「前記条件判断手段が、所定条件が成立したと判断すると、前記普通図柄表示部の図柄が変動中であり、」という限定を省くとともに、
「普通図柄表示制御手投」と「報知手投」という誤記を含む記載としたものである。
　そうすると、本願発明の構成要件を全て含み、その発明を特定するために必要な事項の一部に限定を付すとともに、「普通図柄表示制御手投」と「報知手投」の誤記を改めたものに相当する本願補正発明が、前記「２．（４）」に記載したとおり、引用発明、引用文献２記載の技術、従来周知の技術及び遊技機における技術背景に基づいて、当業者が容易に発明をすることができたものであるから、本願発明も、同様の理由により、引用発明、引用文献２記載の技術、従来周知の技術及び遊技機における技術背景に基づいて、当業者が容易に発明をすることができたものである。
　
（４）むすび
　以上のとおり、本願発明は、引用発明、引用文献２記載の技術、従来周知の技術及び遊技機における技術背景に基づいて、当業者が容易に発明をすることができたものであるから、特許法第２９条第２項の規定により特許を受けることができない。
　そして、請求項２乃至１０に係る発明について検討するまでもなく、本願は拒絶すべきものである。
　よって、結論のとおり審決する。